(57)【要約】      （修正有）【課題】従来の受け部材部品を利用できると共に、３枚以上の引戸をシンクロ連動させることができる引戸連動装置を提供する。【解決手段】引戸連動装置は、第１の引戸Ａの内部下端部に設けられ、第１の引戸の開閉方向に沿ってスライド可能なスライダ１４を有する第１のユニット本体１０ａと、第２の引戸Ｂの内部下端部に設けられ、第２の引戸の開閉方向に沿ってスライド可能なスライダを有する第２のユニット本体と、第２のユニット本体より高い位置において第２の引戸の表面に取り付けられた第１の受け部材２０ａと、第１のユニット本体のスライダと第１の受け部材とを連結する第１の連結部材３０ａとを備える。第１の連結部材は、基部から互いに平行に伸長する短アーム部及び長アーム部を備えたＪ字形状の横断面を有し、短アーム部の先端部がスライダに嵌合し、長アーム部の先端部が第１の受け部材に嵌合する。【選択図】図１
0003205515.tif 000002
【実用新案登録請求の範囲】
【請求項１】
第１の引戸に取り付けられ、該第１の引戸に隣接する第２の引戸及び第３の引戸と連動して前記第１の引戸を開閉する引戸連動装置であって、
前記第１の引戸の内部下端部に設けられ、該第１の引戸の開閉方向に沿ってスライド可能なスライダを有する第１のユニット本体と、
前記第２の引戸の内部下端部に設けられ、該第２の引戸の開閉方向に沿ってスライド可能なスライダを有する第２のユニット本体と、
前記第２のユニット本体の高さより高い位置において前記第２の引戸の前記第１の引戸側表面に取り付けられた第１の受け部材と、
前記第１のユニット本体の前記スライダと前記第１の受け部材とを連結する第１の連結部材とを備え、
前記第１の連結部材は、基部から互いに平行に伸長する短アーム部及び長アーム部を備えたＪ字形状の横断面を有しており、前記短アーム部の先端部が前記スライダに嵌合し、前記長アーム部の先端部が前記第１の受け部材に嵌合することを特徴とする引戸連動装置。
【請求項２】
前記第１の連結部材は、前記先端部を除く前記短アーム部、前記先端部を除く前記長アーム部及び前記基部の幅が、前記短アーム部の先端部及び前記長アーム部の先端部の幅より大きいことを特徴とする請求項１に記載の引戸連動装置。
【請求項３】
前記第１の引戸の前記第２の引戸側表面に取り付けられる第３の受け部材と前記第２の引戸の前記第１の引戸側表面に取り付けられた前記第１の受け部材とは、開閉時に互いに当接しないように、開閉方向に所定の間隙を有するように設置されていることを特徴とする請求項１又は２に記載の引戸連動装置。
【請求項４】
前記第１の引戸に隣接する前記第３の引戸の下部の第１の引戸側表面に取り付けられた第２の受け部材と、前記第１のユニット本体の前記スライダと前記第２の受け部材とを連結する第２の連結部材とをさらに備え、前記第２の連結部材は、基部から互いに平行に伸長する２つのアーム部を備えたコ字形状の横断面を有しており、一方の前記アーム部の先端部が前記スライダに嵌合し、他方の前記アーム部の先端部が前記第２の受け部材に嵌合するように構成されていることを特徴とする請求項１から３のいずれか１項に記載の引戸連動装置。
【請求項５】
前記第１及び第２のユニット本体の各々は、下方に開口する筐体と、前記筐体内に配置された複数のガイド体と、前記複数のガイド体の間に移動可能に張設された無端条体と、該無端条体に固定され前記隣接する第１、第２又は第３の引戸に係合されるスライダとを備えていることを特徴とする請求項１から４のいずれか１項に記載の引戸連動装置。
【考案の詳細な説明】
【技術分野】
【０００１】
本考案は、建物や家具などの構造物の開口部を複数枚の引戸で開閉する場合に、開閉操作に伴って引戸を連動させる引戸連動装置に関するものである。
【背景技術】
【０００２】
従来から、建物等の開口部に、間口の有効利用等のため、引戸を複数枚設けることがある。このように複数枚の引戸を設けた場合には、引戸を１枚ずつ開閉操作することが面倒である等の理由から、１枚の引戸の開閉操作に伴い他の引戸を連動させる引戸連動装置が設置される場合がある。
【０００３】
このような引戸連動装置として、引戸連動機構をユニット化して取り扱いの利便性を高めたものがある（例えば特許文献１）。
【０００４】
特許文献１に記載された引戸連動装置は、引戸の開閉方向に沿って延びるとともにこの引戸の上端面又は下端面に掘込みして取り付けられる掘込ベースと、掘込ベースの内部の長手方向両端部にそれぞれ回転自在に設けられるプーリと、これらのプーリ間に掛け渡される無端状ワイヤと、このワイヤに固定され隣接引戸に係合されるスライダとが一体組付されてユニット化されている。
【０００５】
この引戸連動装置においては、引戸連動機構ユニットを例えば２枚目の引戸に掘込み設置して、プーリ間に掛け渡されたワイヤのそれぞれに固定されたスライダを前の引戸（１枚目）に係合させて設置する。これにより、１枚目の引戸を開閉操作すると、２枚の引戸を連動開閉することができ、設置時の取り扱い性、汎用性、操作性を向上させることができる。
【先行技術文献】
【特許文献】
【０００６】
【特許文献１】特開２００３−８２９３３号公報
【考案の概要】
【考案が解決しようとする課題】
【０００７】
しかしながら、この特許文献１に記載の引戸連動装置は、２枚までの引戸をシンクロ連動させて操作することができるが、３枚以上の引戸を連動させる場合に問題が生じていた。即ち、３枚の引戸の場合、２枚目の引戸に引戸連動装置のユニットを取り付け、ユニットのスライダと操作する扉（１枚目）と壁側に隣接する扉（３枚目）とに設けられた受け部材とを連結部材で連結させ、また、壁側に隣接する扉（３枚目）の下部に掘り込みを施し、床付けガイドを使用し振れを抑え、連動するように構成していた。この場合、操作する扉（１枚目）とユニットが装着された扉（２枚目）はシンクロ連動ができるが、３枚目の扉は１枚目及び２枚目が動ききってから動き出すため、３枚の引戸の完全なシンクロ連動を行うことができなかった。
【０００８】
３枚の引戸を完全にシンクロ連動するためには、２枚目と３枚目の引戸に引戸連動装置のユニットを取り付けることが考えられるが、従来の引戸連動装置では、２枚目と３枚目の引戸とを連結させるとき必要な受け部材を、隣接する扉（例えば３枚目）の下部側面に取り付ける必要がある。しかしながら、２枚目及び３枚目の引戸の内部にはユニットが取り付けているため、ユニットと同じ高さの位置に取り付けると、固定ネジがユニットにぶつかるため、受け部材の取り付けができないという問題点があった。
【０００９】
従って、本考案は従来技術の上述した問題点を解消するものであり、本考案の目的は、従来の受け部材部品を利用できると共に、３枚以上の引戸をシンクロ連動させることができる引戸連動装置を提供することにある。
【課題を解決するための手段】
【００１０】
本考案によれば、第１の引戸に取り付けられ、第１の引戸に隣接する第２の引戸及び第３の引戸と連動して第１の引戸を開閉する引戸連動装置は、第１の引戸の内部下端部に設けられ、第１の引戸の開閉方向に沿ってスライド可能なスライダを有する第１のユニット本体と、第２の引戸の内部下端部に設けられ、第２の引戸の開閉方向に沿ってスライド可能なスライダを有する第２のユニット本体と、第２のユニット本体の高さより高い位置において第２の引戸の第２の引戸側表面に取り付けられた第１の受け部材と、第１のユニット本体のスライダと第１の受け部材とを連結する第１の連結部材とを備えている。第１の連結部材は、基部から互いに平行に伸長する短アーム部及び長アーム部を備えたＪ字形状の横断面を有しており、短アーム部の先端部がスライダに嵌合し、長アーム部の先端部が第１の受け部材に嵌合するように構成されている。
【００１１】
第１の連結部材は、基部から互いに平行に伸長する短アーム部及び長アーム部を備えたＪ字形状の横断面を有しており、短アーム部の先端部がスライダに嵌合し、長アーム部の先端部が第２のユニット本体の高さより高い位置において第２の引戸の表面に取り付けられた第１の受け部材に嵌合する。これにより、第１の受け部材を取り付ける際に、固定ネジが第２のユニット本体と干渉することを回避でき、従来の受け部材部品をそのまま利用して３枚以上の引戸をシンクロ連動させることができる。
【００１２】
第１の連結部材は、先端部を除く短アーム部、先端部を除く長アーム部及び基部の幅が、短アーム部の先端部及び長アーム部の先端部の幅より大きく形成されていることが好ましい。これにより、第１の連結部材の強度を確保することができる。
【００１３】
第１の引戸の第２の引戸側表面に取り付けられる第３の受け部材と第２の引戸の第１の引戸側表面に取り付けられた第１の受け部材とは、開閉時に互いに当接しないように、開閉方向に所定の間隙を有するように設置されていることが好ましい。これにより、開閉時に隣接する引戸に設けられた受け部材同士が互いに当接することを防止することができ、そのため、耐久性を向上することができる。
【００１４】
第１の引戸に隣接する第３の引戸の下部の第１の引戸側表面に取り付けられた第２の受け部材と、第１のユニット本体のスライダと第２の受け部材とを連結する第２の連結部材とをさらに備え、第２の連結部材は、基部から互いに平行に伸長する２つのアーム部を備えたコ字形状の横断面を有しており、一方のアーム部の先端部がスライダに嵌合し、他方のアーム部の先端部が第２の受け部材に嵌合するように構成されていることが好ましい。これにより、ユニット本体が設けられていない第３の引戸において、受け部材は、ユニット本体より高い位置に取り付けることが必要なく、従来の受け部材部品をそのまま利用することができる。
【００１５】
第１及び第２のユニット本体の各々は、下方に開口する筐体と、筐体内に配置された複数のガイド体と、複数のガイド体の間に移動可能に張設された無端条体と、無端条体に固定され隣接する第１、第２又は第３の引戸に係合されるスライダとを備えていることが好ましい。
【考案の効果】
【００１６】
本考案によれば、引戸連動装置の第１の連結部材は、基部から互いに平行に伸長する短アーム部及び長アーム部を備えたＪ字形状の横断面を有しており、短アーム部の先端部がスライダに嵌合し、長アーム部の先端部が第２のユニット本体の高さより高い位置において第２の引戸の表面に取り付けられた第１の受け部材に嵌合する。これにより、第１の受け部材を取り付ける際に、固定ネジが第２のユニット本体と干渉することを回避でき、従来の受け部材部品をそのまま利用して３枚以上の引戸をシンクロ連動させることができる。
【図面の簡単な説明】
【００１７】
【図１】本考案の一実施形態における引戸連動装置の構成を概略的に示す分解斜視図である。
【図２】引戸連動装置の第１の連結部材の構成を概略的に示す斜視図である。
【図３】引戸連動装置を用いた３枚の引戸の連動構造を概略的に示す斜視図である。
【図４】引戸連動装置を用いた３枚の引戸の連動構造における引戸同士の連結及び受け部材の取り付け位置を示す部分断面図である。
【図５】引戸連動装置を用いた３枚の引戸の連動構造における第１の連結部材による連結を概略的に示す部分断面図である。
【図６】引戸連動装置用いた３枚の引戸の連動構造を概略的に示す平面図である。
【図７】図６の３枚の引戸の連動構造を概略的に示す部分拡大断面図である。
【考案を実施するための形態】
【００１８】
以下、本考案に係る引戸連動装置の実施形態を、図を参照して説明する。
【００１９】
図１は本考案の一実施形態における引戸連動装置構成を示している。図２はこの引戸連動装置の第１の連結部材３０の構成を示している。図３は引戸連動装置を用いた３枚の引戸の連動構造を示している。図４は３枚の引戸の連動構造における引戸同士の連結及び受け部材の取り付け位置を示している。図５は第１の連結部材３０による連結状態を示している。図６は３枚の引戸の連動構造の水平面を示しており、同図（ａ）は閉じた状態を示しており、（ｂ）は開いた状態を示している。図７は図６中のａ部、ｂ部及びｃ部を拡大して示している。
【００２０】
図１〜図７に示すように、本実施形態における引戸連動装置は、第１及び第２のユニット本体１０ａ及び１０ｂと、第１〜第４の受け部材２０ａ〜２０ｄと、第１の連結部材３０ａと、第２の連結部材４０ａと、第３の連結部材３０ｂと、第４の連結部材４０ｂとを備えている。本実施形態の引戸連動装置は、２枚目の引戸である第１の引戸Ａ、３枚目の引戸である第２の引戸Ｂ、及び１枚目の引戸である第３の引戸Ｃを連動させるものである。図１には、第１の引戸Ａ内に設けられた第１のユニット本体１０ａしか示されていないが、第２の引戸Ｂ内にも同様の構成の第２のユニット本体１０ｂが設けられている。
【００２１】
図１に示すように、第１又は第２のユニット本体１０ａ又は１０ｂは、下方に開口する筐体１１と、筐体１１内に配置された複数（６個）のガイド体１２と、これら複数のガイド体１２の間に移動可能に張設された無端条体１３と、この無端条体１３に固定され隣接する引戸に係合される１対のスライダ１４とを備えている。筐体１１は、引戸の戸厚よりも狭幅で、引戸の開閉方向にわたって長尺状を呈し、引戸の下端面に掘込して、複数（３個）のビス１５で引戸に取付けされている。また、筐体１１は、断面視略コ字形状を呈しており、基部１１ａと両側面部１１ｂとを備えている。さらに、基部１１ａには、ビス１５で引戸に取り付けるための貫通穴が設けられている。また、ビス１５は樹脂材料から形成された取り付け部１６に配置されている。両側面部１１ｂの内側にはスライダ１４が引戸の開閉方向にスライド可能に嵌合するためのスライダ装着部１７をそれぞれ備えている。ガイド体１２は、回転自在に装着されたプーリからなり、無端条体１３は、６個のプーリの間に移動可能に張設されている。無端条体１３は、６個のプーリの間に掛け渡されるワイヤ又はベルトであり、たるみやスリップを生じないように適度な張力を与えられて取付けられている。１対のスライダ１４は、互いに反対方向に移動するように両側面部１１ｂの内側にある無端条体１３に固設され、筐体１１の両側面部１１ｂに沿って摺動可能にそれぞれ装着されている。また、スライダ１４の下端に隣接する引戸に係合されるための連結部材挿入部１４ａが設けられている。
【００２２】
第１〜第４の受け部材２０ａ〜２０ｄの各々は、第１の連結部材３０ａの短アーム部３１、第２の連結部材４０ａのアーム部４１、第３の連結部材３０ｂの短アーム部又は第４の連結部材４０ｂのアーム部と嵌合する係合溝２１ａ又は２１ｂを備え、木ねじで隣接する引戸の表面に装着されている。ただし、第１の受け部材２０ａは、第２のユニット本体１０ｂが設けられた第２の引戸Ｂの第１の引戸Ａ側表面に取り付けられ、木ねじ（固定ネジ）が第２のユニット本体１０と干渉することを回避するために、この第２のユニット本体１０の高さより高い位置に装着される。第１の引戸Ａの第２の引戸Ｂ側表面に取り付けられた第３の受け部材２０ｃも同様である。一方、ユニット本体が設けられていない第３の引戸Ｃの第１の引戸Ａ側表面に取り付けられる第２の受け部材２０ｂ及び壁面に取り付けられる第４の受け部材２０ｄは、スライダ１４とほぼ同じ高さに装着されている。
【００２３】
第１の連結部材３０ａは、金属板を折り曲げて形成され、Ｊ字形状の横断面を有しており、スライダ１４と第２のユニット本体１０ｂが設けられた第２の引戸Ｂに装着された第１の受け部材２０ａとを連結するものである。第１の連結部材３０ａは、基部から互いに平行に伸長する短アーム部３１及び長アーム部３２を備えており、短アーム部３１の先端部がスライダ１４に嵌合し、長アーム部３２の先端部３２ａが第１の受け部材２０ａに嵌合し、これにより第１の引戸Ａと第２の引戸Ｂとを連結するように構成されている。また、短アーム部３１にはスライダ１４と係止するために開口部３１ａが設けられている。第３の連結部材３０ｂの構造もこの第１の連結部材３０ａの構造と同様である。
【００２４】
第２の連結部材４０ａは、金属板を折り曲げて形成され、コ字形状の横断面を有しており、スライダ１４とユニット本体が設けられていない第３の引戸Ｃに装着された第２の受け部材２０ｂとを連結するものである。この第２の連結部材４０ａは、基部から互いに平行に伸長する２つのアーム部４１及び４２を備えており、一方のアーム部４１の先端部がスライダ１４に嵌合し、他方のアーム部４２の先端部が第２の受け部材２０ｂに嵌合し、これにより第１の引戸Ａと第３の引戸Ｃとを連結するように構成されている。第４の連結部材４０ｂの構造もこの第２の連結部材４０ａの構造と同様である。
【００２５】
図３〜図７は本実施形態に係る引戸連動装置を用いた３枚連動引戸の構成を示している。この引戸構造は、開口部に隣接する壁Ｗの前側に前方開放型の戸袋が設置され、この戸袋から３枚の引戸である第３の引戸Ｃ（１枚目の引戸）、第１の引戸Ａ（２枚目の引戸）、及び第２の引戸Ｂ（３枚目の引戸）が引き出されることにより開口部が閉塞されるものである。これらの第３の引戸Ａ、第１の引戸Ｂ及び第２の引戸Ｃは、それぞれ上端部に左右一対のガイドローラＲが設けられ、このガイドローラＲが、開口部の上部枠に取り付けられたガイドレールＧに案内支持されて開口部を開閉する。
【００２６】
図３〜図７に示すように、第１の引戸Ａ及び第２の引戸Ｂの内部下端部に引戸連動装置の第１及び第２のユニット本体１０ａ及び１０ｂがそれぞれ設けられている。第３の引戸Ｃには、第１の引戸Ａ側表面に第２の受け部材２０ｂのみが取り付けられている。この第２の受け部材２０ｂと第１の引戸Ａに設けられた第１のユニット本体１０のスライダ１４とは第２の連結部材４０ａで連結されている。第１の引戸Ａの第２の引戸Ｂ側のスライダ１４は第１の連結部材３０ａで第２の引戸Ｂの第１の引戸Ａ側表面に取り付けられた第１の受け部材２０ａと連結されている。また、図７に示すように第１の引戸Ａの第２の引戸Ａ側表面に第３の受け部材２０ｃが取り付けられており、この第３の受け部材２０ｃと第２の引戸Ｂに設けられた第２のユニット本体１０のスライダ１４とは第１の連結部材３０ａと同様の構成の第３の連結部材３０ｂ（図４参照）で連結されている。第２の引戸Ｂの第３の引戸Ｃ側のスライダ１４は第２の連結部材４０ａと同様の構成の第４の連結部材４０ｂ（図４参照）で壁表面に取り付けられた第４の受け部材２０ｄと連結されている。
【００２７】
このような構成により、１枚目の第３の引戸Ｃを閉止方向に引くと、第２の連結部材４０ａにより２枚目の第１の引戸Ａに設けられた第１のユニット本体１０ａのスライダ１４が閉止方向に移動する。第１の引戸Ａの第２の引戸Ｂ側のスライダ１４は第１の連結部材３０ａでこの３枚目の第２の引戸Ｂに取り付けられた第１の受け部材２０ａと連結されており、また、第１の引戸Ａの同じく第２の引戸Ｂ側表面に取り付けられた第３の受け部材２０ｃは第３の連結部材３０ｂで第２の引戸Ｂに設けられた第２のユニット本体１０ｂのスライダ１４と連結されているため、第１の引戸Ａの移動と同時に、第２の引戸Ｂに設けられた第２のユニット本体１０ｂのスライダ１４が閉止方向に移動する。第２の引戸Ｂの壁側のスライダ１４は第４の連結部材４０ｂにより壁表面に設けられた第４の受け部材２０ｄと連結されているため、スライダ１４が第２のユニット本体１０ｂの終端に到達すると、第２の引戸Ｂが停止する。これにより、第３の引戸Ｃ、第１の引戸Ａ及び第２の引戸Ｂは閉止状態になる。なお、引戸を開くときも同様に連動することができる。
【００２８】
また、図７に示すように、第１の引戸Ａの第２の引戸Ｂ側表面に取り付けられた第３の受け部材２０ｃと、これに隣接する第２の引戸Ｂの第１の引戸Ａ側表面に取り付けられた第１の受け部材２０ａは、開閉時に互いに当接しないように、３枚連動引戸の閉止状態で、開閉方向に間隙ｄを有するように設置されている。
【００２９】
以上説明したように本実施形態の引戸連動装置は、第１及び第２のユニット本体１０ａ及び１０ｂと、第１〜第４の受け部材２０ａ〜２０ｄと、第１の連結部材３０ａと、第２の連結部材４０ａと、第３の連結部材３０ｂと、第４の連結部材４０ｂとを備えている。第１の連結部材３０ａ及び第３の連結部材３０ｂの各々は、基部から互いに平行に伸長する短アーム部３１及び長アーム部３２を備えたＪ字形状の横断面を有しており、短アーム部３１の先端部がスライダ１４に嵌合し、長アーム部３２の先端部３２ａが第１の受け部材２０ａ又は第３の受け部材２０ｃに嵌合するように構成されている。
【００３０】
これにより、第１の受け部材２０ａを第２の引戸Ｂに取り付ける際に、固定ネジがこの第２の引戸Ｂ内に設けられている第２のユニット本体１０ｂと干渉することを回避でき、同様に、第３の受け部材２０ｃを第１の引戸Ａに取り付ける際に、固定ネジがこの第１の引戸Ａ内に設けられている第１のユニット本体１０ａと干渉することを回避できるので、従来の受け部材部品をそのまま利用して３枚以上の引戸をシンクロ連動させることができる。
【００３１】
また、第１の連結部材３０ａ及び第３の連結部材３０ｂの各々は、スライダ１４に嵌入されている先端部を除く短アーム部３１、第１の受け部材２０ａ又は第３の受け部材２０ｃに嵌入されている先端部３２ａを除く長アーム部３２及び基部の幅が、短アーム部３１の先端部及び長アーム部３２の先端部３２ａの幅より大きく形成されている。これにより、第１の連結部材３０ａ及び第３の連結部材３０ｂの強度を確保することができる。
【００３２】
第１の引戸Ａの第２の引戸Ｂ側表面に取り付けられる第３の受け部材２０ｃと第２の引戸Ｂの第１の引戸Ａ側表面に取り付けられた第１の受け部材２０ａとは、開閉時に互いに当接しないように、開閉方向に所定の間隙ｄを有するように設置されている。これにより、開閉時に隣接する第１の引戸Ａ及び第２の引戸Ｂに取り付けられた受け部材同士が互いに当接することを防止することができ、そのため、耐久性を向上することができる。
【００３３】
第２の連結部材４０ａ及び第４の連結部材４０ｂの各々は、基部から互いに平行に伸長する２つのアーム部４１及び４２を備えたコ字形状の横断面を有しており、一方のアーム部４１の先端部がスライダに嵌合し、他方のアーム部４２の先端部が第２の受け部材２０ｂ又は第４の受け部材２０ｄに嵌合するように構成されている。これにより、ユニット本体が設けられていない第３の引戸Ｃ及び壁面において、受け部材は、ユニット本体より高い位置に取り付けることが必要なく、従来の受け部材部品をそのまま利用することができる。
【００３４】
なお、上述した本考案における実施形態の引戸連動装置において、第１の連結部材３０ａ、第２の連結部材４０ａ、第３の連結部材３０ｂ及び第４の連結部材４０ｂを備えた例を説明したが、本考案はこれに限定されるものではない。例えば、第１の連結部材３０ａ及び第３の連結部材３０ｂのみを備えるようにしても良い。この場合、第１及び第３の受け部材２０ａ及び２０ｃは、第１及び第２のユニット本体１０ａ及び１０ｂの高さより高い位置に取り付ける必要がある。
【００３５】
また、上述した本考案における実施形態の引戸連動装置において、第１の連結部材３０ａ及び第３の連結部材３０ｂの各々は、スライダ１４に嵌入されている先端部を除く短アーム部３１、第１の受け部材２０ａ又は第３の受け部材２０ｃに嵌入されている先端部３２ａを除く長アーム部３２及び基部の幅が、短アーム部３１の先端部及び長アーム部３２の先端部３２ａの幅より大きい例を説明したが、本考案はこれに限定されるものではない。例えば、スライダ１４に嵌入されている先端部を除く短アーム部３１、第１の受け部材２０ａ又は第３の受け部材２０ｃに嵌入されている先端部３２ａを除く長アーム部３２及び基部の厚さが、短アーム部３１の先端部及び長アーム部３２の先端部３２ａの厚さより厚くなるように構成しても良い。
【００３６】
また、上述した本考案における実施形態の引戸連動装置１００において、ユニット本体１０は、６個のガイド体１２と、６個のガイド体１２の間に移動可能に張設された無端条体１３とを有する例を説明したが、本考案はこれに限定されるものではない。
【００３７】
また、上述した本考案における実施形態の引戸連動装置１００を用いた３枚の引戸の連動構造の例を説明したが、本考案はこれに限定されるものではない。４枚以上の引戸の連動構造にも本考案を適用できる。
【００３８】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３９】
１０ａ  第１のユニット本体
１０ｂ  第２のユニット本体
１１  筐体
１１ａ  基部
１１ｂ  両側面部
１２  ガイド体
１３  無端条体
１４  スライダ
１４ａ連結部材挿入部
１５  ビス
１６  取り付け部
１７  スライダ装着部
２０ａ  第１の受け部材
２０ｂ  第２の受け部材
２０ｃ  第３の受け部材
２０ｄ  第４の受け部材
２１ａ、２１ｂ  係合溝
３０ａ  第１の連結部材
３０ｂ  第３の連結部材
３１  短アーム部
３１ａ  開口部
３２  長アーム部
３２ａ  先端部
４０ａ  第２の連結部材
４０ｂ  第４の連結部材
４１、４２  アーム部
Ａ  第１の引戸
Ｂ  第２の引戸
Ｃ  第３の引戸
Ｇ  ガイドレール
Ｒ  ガイドローラ
Ｗ  壁
【図１】
0003205515.tif 000003
【図２】
0003205515.tif 000004
【図３】
0003205515.tif 000005
【図４】
0003205515.tif 000006
【図５】
0003205515.tif 000007
【図６】
0003205515.tif 000008
【図７】
0003205515.tif 000009